(57)【要約】      （修正有）【課題】待機モードにおいて消費電力が低減したエアコンディショナを提供する。【解決手段】エアコンディショナ１００の室外ユニットは、一端から電源まで接続され、他端からリレー回路に接続されるゼロ交差回路を備える。ゼロ交差回路１３０の電源は、待機モード中にＲＹ−ＡＣおよびＲＹ−ＰＷＲを切ることにより遮断する。エアコンディショナは端子Ｔ１’とコンプレッサとの間に接続して室外ユニット１２０に別のマイクロプロセッサ制御リレーＲＹ−Ｃを備えており、待機モード中はＯＦＦのままとする。エアコンディショナは、さらにローパワーハイインピーダンススイッチングトランスフォーマを、端子Ｔ２’と端子Ｔ１’との間に接続して、スイッチングトランスフォーマの抵抗を増加させる制御を特徴とする。【選択図】図１
2016148505.tif 000002
【特許請求の範囲】
【請求項１】
少なくとも３個の端子スロット（Ｔ１、Ｔ２、Ｔ３）を備える室内端子板を有する室内ユニットと；
少なくとも３個の端子スロット（Ｔ１’、Ｔ２’、Ｔ３’）を備える室外端子板を有する室外ユニット（１２０）であって、前記室内ユニットの端子スロットが室外ユニット端子スロットに接続される室外ユニット（１２０）と；
エアコンディショナをＯＮまたはＯＦＦするように動作するＲＹ−ＰＷＲと平行なＲＹ−ＡＣを備える室外ユニット１２０での制御／スイッチング回路１３５と；
一端から電源に接続しおよび他端から制御／スイッチング回路１３５に接続したゼロ交差回路１３０であって、前記ゼロ交差回路１３０の電源を、待機モード中にＲＹ−ＡＣおよびＲＹ−ＰＷＲを切ることにより遮断して消費電力を低減させるものである、ゼロ交差回路１３０と、
を備える、エアコンディショナ。
【請求項２】
さらに、室外ユニットでの別のＲＹ−Ｃリレーが、端子（Ｔ１’）とコンプレッサとの間に接続され、前記ＲＹ−Ｃリレーをマイクロプロセッサにより制御して待機モード中にオフとして消費電力を低減させる、請求項１に記載のエアコンディショナ。
【請求項３】
主電源を「ＯＮ」とした後はＲＹ−Ｃは「ＯＦＦ」のままであり、室外ユニットの運転が開始したときにはＲＹ−Ｃの電源を入れる、請求項２に記載のエアコンディショナ。
【請求項４】
さらに、ローパワーハイインピーダンススイッチングトランスフォーマを、端子（Ｔ２’）と端子（Ｔ１’）との間に接続して、スイッチングトランスフォーマの抵抗を増加させことにより、待機電流を低減させる、請求項１に記載のエアコンディショナ。
【請求項５】
さらに、前記室外端子板が、前記室内端子板のアース端子（Ｅ）１１８への接続のためのアース端子（Ｅ’）１２８を有するものである、請求項１または２に記載のエアコンディショナ。
【請求項６】
さらに、前記室外端子板上に配置された端子スロット（Ｌ、Ｎ）を介して前記室外ユニットに電力を供給する電源手段を備える、請求項１に記載のエアコンディショナ。
【請求項７】
ゼロ交差回路は、主電源が「ＯＮ」となった後には起動しない、請求項６に記載のエアコンディショナ。
【請求項８】
ゼロ交差回路は、ＲＹ−ＰＷＲが動作ＭＯＤＥ（冷却／加熱）中にＯＮとなった後に機能を開始する、請求項１に記載のエアコンディショナ。
【請求項９】
前記エアコンディショナの前記室内ユニットおよび室外ユニットの電源が、誤配線配置すると接続を切断するためのヒューズを備える、請求項６に記載のエアコンディショナ。
【請求項１０】
さらにＲＹ−ＡＣを備えたリレー回路は、前記端子スロット（Ｔ２’）への接続前の突入電流保護をするためのサーミスタを備える、請求項１に記載のエアコンディショナ。
【請求項１１】
電流ヒューズ１１２を前記端子スロット（Ｔ１）から整流回路１１４に接続し、そこに前記エアコンディショナ１００の室内ユニット１１０の前記整流回路１１４の過電流保護として設けられている、請求項１に記載のエアコンディショナ。
【請求項１２】
さらに、電流ヒューズ１２２が、前記端子スロット（Ｔ１’）から整流回路１３４に接続され、そこに前記エアコンディショナ１００の室外ユニット１２０の前記整流回路１３４の過電流保護として設けられている、請求項１に記載のエアコンディショナ。
【請求項１３】
さらに、電流ヒューズ１３２が、前記ゼロ交差回路１３０から整流回路１２４に接続され、そこに前記エアコンディショナ１００の室外ユニット１２０の前記整流回路１２４の過電流保護として設けられている、請求項１に記載のエアコンディショナ。
【発明の詳細な説明】
【技術分野】
【０００１】
本発明は、エアコンディショナに関する。より詳細には、本発明は、エアコンディショナにおける消費電力の低減に関する。
【背景技術】
【０００２】
エアコンディショナは、年とともに急速に進化してきた。最初に、窓型エアコンディショナが開発され、それらは居住地および商業地でまだ使用されている。しかしながら、最近、音が小さくおよび冷却効率が向上していることから、分離型エアコンディショナが、普及してきた。
【０００３】
一般的に、分離型エアコンディショナは、室内ユニットと室外ユニットとを備えており、これらの両方が電源を必要とする。分離型エアコンディショナのための電力接続は、室内ユニットまたは室外ユニットの端子板を介してなされる。
【０００４】
分離型エアコンディショナは、より多くの待機電力を消費する。これは、室内ユニットと室外ユニットとの間の持続的な相互作用のためと思われる。待機電力は、スイッチを切っている間もしくは外部電源を待つ間、またはリモコン受信機を使用するために；あるいは装置のスイッチは切ってあるけれどもプラグを差し込んであるときにテキストまたは光表示回路の電源を入れるために、家電製品および電気設備により使用される電力である。これは、ある装置が電子インターフェースについて「スイッチを切る」ことを要求されているが、プラグまたはコンセントでスイッチを切るのとは異なる状態にあるために生じる。
【発明の概要】
【発明が解決しようとする課題】
【０００５】
上記に鑑みて、消費電力が低いか、あるいは低減された改善された空調装置および方法が引き続き必要とされている。
【課題を解決するための手段】
【０００６】
したがって、本発明によれば、待機モードにおいて消費電力が低減されたエアコンディショナが提供される。エアコンディショナは、少なくとも３個の端子スロット（Ｔ１、Ｔ２、Ｔ３）を備える室内端子板を有する室内ユニットと；少なくとも３個の端子スロット（Ｔ１’、Ｔ２’、Ｔ３’）を備える室外端子板を有する室外ユニット（１２０）であって、室内ユニットの端子スロットが室外ユニット端子スロットに接続された室外ユニット（１２０）と；エアコンディショナをＯＮまたはＯＦＦするように動作するＲＹ−ＰＷＲと平行なＲＹ−ＡＣを備えた室外ユニットでのリレー回路と；一端から電源に接続しおよび他端から制御／スイッチング回路１３５に接続したゼロ交差回路１３０であって、ゼロ交差回路１３０の電源を、待機モード中にＲＹ−ＡＣおよびＲＹ−ＰＷＲを切ることにより遮断して消費電力を低減させるゼロ交差回路１３０と、を備える。
【０００７】
一実施態様によれば、エアコンディショナは、室外ユニットでの別のＲＹ−Ｃリレーが、端子（Ｔ１’）とコンプレッサとの間に接続され、該ＲＹ−Ｃリレーをマイクロプロセッサにより制御して待機モード中にオフとして消費電力を低減させる。
【０００８】
一実施態様によれば、ローパワーハイインピーダンススイッチングトランスフォーマを、端子（Ｔ２’）と端子（Ｔ１’）との間に接続して、スイッチングトランスフォーマの抵抗を増加させることにより、待機電流を低減させる。
【図面の簡単な説明】
【０００９】
本発明の実施態様に言及し、その例を添付図面で説明する。これらの図面は、説明のみを目的とし、本発明を限定するものではない。本発明は、一般的にこれらの実施態様との関連で説明するが、本発明の範囲はこれらの特定の実施態様に限定されない。
【００１０】
【図１】本発明の一実施態様による待機モードにおけるエアコンディショナを示す。
【図１ａ】本発明の一実施態様による待機モードにおけるエアコンディショナの室外ユニットを示す。
【図２ａ】本発明の一実施態様によるゼロ交差回路の接続前後のエアコンディショナシステムの５０／６０ＨＺ判定でのソフトウエアに関する操作パラメータの比較チャートを示す。
【図２ｂ】本発明の一実施態様によるゼロ交差回路の接続前後の空調システムの操作パラメータの比較チャートを示す。
【発明を実施するための形態】
【００１１】
本発明の種々の実施態様によれば、待機モードにおける消費電力が低減したエアコンディショナが提供される。
【００１２】
本明細書に記載の本発明は、よりよく理解されるように特定の典型例の詳細を用いて説明する。しかしながら、開示される本発明は、これらの詳細事項を使用することなく当業者により実施できる。ブロック図に示されるコンポーネントおよび装置は、本発明の典型的な実施態様を説明したものであり、本発明が不明瞭となるのを回避するためのものである。また、種々の要素間の接続は、必ずしも直接ではなくてもよく、要素間のデータ伝達は変更が可能である。
【００１３】
本明細書における「一実施態様」または「実施態様」は、その実施態様と関連して説明される特定の特徴、構造、特性または機能が、本発明の少なくとも一つの実施態様に含まれることを意味する。本明細書における種々の個所でのこれらの語句は、必ずしも全て同じ実施態様を指しているわけではない。
【００１４】
図１において、待機消費電力を低減させることができるエアコンディショナ１００が、本発明の実施態様に関連して示されている。エアコンディショナ１００は、室内ユニット１１０と室外ユニット１２０とを備える。室内ユニット１１０は、少なくとも３つの端子スロット（Ｔ１、Ｔ２、Ｔ３）を備えた室内端子板を有する。室外ユニット（１２０）は、端子スロット（Ｔ１’、Ｔ２’、Ｔ３’）を備えた室外端子板を有しており、室内ユニット１１０の端子スロット（Ｔ１、Ｔ２、Ｔ３）は、室外ユニット端子スロット（Ｔ１’、Ｔ２’、Ｔ３’）に接続される。エアコンディショナ１００は、エアコンディショナ１００のスイッチをＯＮあるいはＯＦＦするように動作するＲＹ−ＰＷＲと平行なＲＹ−ＡＣを備える室外ユニット１２０に制御／スイッチング回路１３５を備える。ゼロ交差回路１３０は、一端から電源１５０に接続され、他端から制御／スイッチング回路  １３５に接続される。ゼロ交差回路１３０の電源を、待機モード中にＲＹ−ＡＣおよびＲＹ−ＰＷＲを切ることにより遮断して消費電力を低減させる。
【００１５】
室内ユニット１１０は、端子スロットＴ１と整流回路１１４との間に接続してヒューズ１１２を備える。整流回路１１４は、ＳＣ１１６に接続される。
【００１６】
一実施態様によれば、エアコンディショナ１００は、さらに前記室外端子板（Ｔ１’、Ｔ２’、Ｔ３’）上に配置された端子スロット（Ｌ、Ｎ）を介して前記室外ユニット１２０に電力を供給する電源手段１５０を備える。
【００１７】
一実施態様によれば、エアコンディショナは、さらにローパワーハイインピーダンススイッチングトランスフォーマ１２６を、端子（Ｔ２’）と端子（Ｔ１’）との間に接続して、スイッチングトランスフォーマ１２６の抵抗を増加させることにより、待機電流を低減させる。
【００１８】
一実施態様によれば、エアコンディショナ１００は、室外ユニット１２０での別のＲＹ−Ｃリレーが、ＤＢを介して端子（Ｔ１’）とコンプレッサ１３６との間に接続され、整流回路１３８に接続したＲＹ−Ｃリレーをマイクロプロセッサにより制御して待機モード中にオフとして消費電力を低減させる。
【００１９】
一実施態様によれば、主電源１５０を「ＯＮ」とした後はＲＹ−Ｃリレーは「ＯＦＦ」のままであり、室外ユニット１２０の運転が開始したときにはＲＹ−Ｃリレーの電源を入れる。
【００２０】
一実施態様によれば、室内ユニット１１０のアース端子（Ｅ）１１８および室外ユニット１２０のアース端子（Ｅ’）１２８は、接続ワイヤを用いて互いに接続される。
【００２１】
一実施態様によれば、ゼロ交差回路１３０は、主電源が「ＯＮ」となった後には起動しない。
【００２２】
一実施態様によれば、ゼロ交差回路１３０は、ＲＹ−ＰＷＲが動作ＭＯＤＥ（冷却／加熱）中ＯＮとなった後に機能を開始する。
【００２３】
一実施態様によれば、エアコンディショナ１００の室内ユニット１１０  および室外ユニット１２０は、間違った配線配置での接続を遮断するための少なくとも１つのヒューズ（１１２、１２２）を備える。
【００２４】
一実施態様によれば、ＲＹ−ＡＣを備えた制御／スイッチング回路１３５を、サーミスタを備えた室外ユニット１２０に設けて、前記端子スロット（Ｔ２’）への接続前の突入電流を保護する。
【００２５】
一実施態様によれば、エアコンディショナ１００は、前記端子スロット（Ｔ１）から整流回路１１４に接続され、そこに前記エアコンディショナ１００の室内ユニット１１０の前記整流回路１１４の過電流保護として設けられる電流ヒューズ１１２を有する。
【００２６】
一実施態様によれば、エアコンディショナ１００は、前記端子スロット（Ｔ１’）から整流回路１３４に接続され、そこに前記エアコンディショナ１００の室外ユニット１２０の前記整流回路１３４の過電流保護として設けられる電流ヒューズ１２２を有する。
【００２７】
一実施態様によれば、エアコンディショナ１００は、前記ゼロ交差回路１３０から整流回路１２４に接続され、そこに前記エアコンディショナ１００の室外ユニット１２０の前記整流回路１２４の過電流保護として設けられる電流ヒューズ１３２を有する。
【００２８】
図１ａを参照すると、本発明の一実施態様によるエアコンディショナ１００の室外ユニット１２０が示される。通常運転に関して室外ユニット１２０を運転するために使用される他に、制御／スイッチング回路１３５は、運転全体を通じて室外ユニット１２０の状態を定期的に判断するためにも使用される。さらに、アースライン（Ｅ’）を、エアコンディショナ１００の接地またはアースの目的で設ける。また、室外ユニット１２０は、室外ユニット１２０における装置を制御するマイクロプロセッサ、室外ユニット１２０周囲の温度を検出する室外ユニット温度センサも備える。
【００２９】
一実施態様によれば、エアコンディショナ１００の室外ユニット１２０は、過電流から整流回路１３４，１３８を保護するヒューズ１２２により保護されるＰＦＣ回路と、コンプレッサ１３６と、過電流から整流回路１２４を保護するヒューズ１３２と、スイッチングトランスフォーマ１２６とをさらに備える。
【００３０】
このシステムにおいて、エアコンディショナを運転してその機能を発揮するとき、運転により、室内ユニットを閉め、電源を室外ユニットに供給し、室外マイクロプロセッサ（図示せず）はファン、コンプレッサ１３６などのあらゆる装置を制御する。
【００３１】
図２ａを参照すると、本発明の一実施態様によるゼロ交差回路の接続前後のエアコンディショナシステムの５０／６０ＨＺ判定でのソフトウエアに関する操作パラメータの比較チャート２００ａが示される。
【００３２】
図２ｂは、本発明の一実施態様によるゼロ交差回路の接続前後の空調システムの操作パラメータの比較チャート２００ｂを示す。ＡＣ電源１５０、ＲＹ−Ｃリレー、ＲＹ−ＡＣリレーおよびＲＹ−ＰＷＲリレーなどの室外ユニットコンポーネントの操作チャートは、エアコンディショナ１００の待機モードでの消費電力の低減を示している。
【００３３】
運転モードにおいて、エアコンディショナ１００が待機モードから脱すると、ゼロ交差回路１３０は、ＲＹ−ＡＣとともに動作し、リレーＲＹ−Ｃは電源ＯＮにされたときの時間から時間遅延Ｔ３の後に動作し、ＲＹ−ＰＷＲはＲＹ−Ｃが動作したときの時間からＴ１の時間間隔後に動作する。ＲＹ−ＰＷＲが動作した時間からＴ２の時間間隔後に、ＲＹ−ＡＣが遮断される。電源を切ってからの時間からＴ４の時間間隔後に、リレーＲＹ−ＡＣ、ゼロ交差回路１３０およびリレーＲＹ−ＰＷＲが遮断される。
【００３４】
上記とは別に、上記の室外端子板におけるリレー（ＲＹ−ＡＣ、ＲＹ−Ｃ、ＲＹ−ＰＷＲ）により、エアコンディショナの待機消費電力を最少とする非常に信頼性の高いコンポーネントが提供され、エアコンディショナを外部供給システムに接続するのに都合よく使用される。使用に際して、使用するのに都合がよく且つ待機消費電力を低減させて、電気量とコストを最少とすることができるこのようなエアコンディショナを有することが望ましい。さらに、このようなリレーと室内端子板の利用は、分離型エアコンディショナに適用できるだけでなく、窓型エアコンディショナ、窓分離型エアコンディショナ、および熱水／冷水製造システムを有する空気−水コンディショナにも適用できる。
【００３５】
本発明の好ましい実施態様を説明したが、種々の変更、適応および修正をなすことができる。したがって、本発明は図示した発明の詳細には限定されず、小さな変更は当業者には自明である。
【図１】
2016148505.tif 000003
【図１ａ】
2016148505.tif 000004
【図２ａ】
2016148505.tif 000005
【図２ｂ】
2016148505.tif 000006